(57)【要約】  【課題】  本発明は、プレハブ式の冷蔵庫及び冷凍庫などの貯蔵庫の庫口となる開口部に取付ける庫口枠材に関し、特に、庫口枠材と庫口枠材取付面の間からの冷却空気の漏出を防止可能な庫口枠材を提供する。  【解決手段】  開口部８口縁となる断熱パネル３側面部から断熱パネル３庫外側を覆うように断面Ｌ字状に配設される庫口枠材１は、庫内側端部に、庫内側パッキン２４を取付可能なパッキン嵌合溝２０を形成する。また、庫口枠材１の庫外側折曲部には、パッキン嵌合溝１９の深さと等しい位置に一対のパッキン支持リブ２５を有するヒケ防止用溝２１が形成される。パッキン支持リブ２５により、庫内側パッキン２４と同一形状の庫外側パッキン２６を配設可能とした構成である。  【選択図】    図２
2005180879.tif 000002
【特許請求の範囲】
【請求項１】
断熱パネルを組み立ててなる貯蔵庫本体に形成された庫口用開口の内側端面に沿って配設される庫口枠材であって、合成樹脂から形成されるとともに庫口用開口の内側端面を被覆する第１被覆部及び断熱パネルの庫外側面の一部を被覆する第２被覆部を有する断面Ｌ字状に形成された庫口枠材において、
前記第１被覆部の庫内側端部には、前記庫口用開口の内側端面と第１被覆部との間をシールするパッキンを嵌合するパッキン嵌合溝が形成されていることを特徴とする庫口枠材。
【請求項２】
前記第１被覆部と第２被覆部とを連結する隅部に形成され、庫口枠材の成形時にヒケが発生することを防止するヒケ防止用溝と、
前記ヒケ防止用溝の内部にて、前記パッキン嵌合溝の深さと等しい深さとなる位置に形成された相互に対向する一対の突起列とを備えたことを特徴とする庫口枠材。
【発明の詳細な説明】
【技術分野】
【０００１】
本発明は、プレハブ式の冷蔵庫及び冷凍庫などの貯蔵庫の庫口用開口の内側端面に取付ける庫口枠材に関し、特に、庫口枠材と庫口用開口の内側端面の間からの冷却空気の漏出を防止可能な庫口枠材に関するものである。
【背景技術】
【０００２】
一般に、プレハブ式の貯蔵庫は、断熱パネルを組み立ててなる箱体に、冷凍装置を取り付けたものである。箱体前面には、庫口用開口を形成し、この庫口用開口に、貯蔵庫内部を断熱空間とする断熱扉を開閉可能に装着した構造である。
冷蔵庫や冷凍庫といった低温貯蔵庫の性格上、貯蔵庫内部に外気が流入したり、庫内の冷却空気が庫外に漏出したりすることは、貯蔵物に悪影響を及ぼすので、最小限にとどめるべきものである。これを実現すべく、一般に、庫口用開口の内側端面に沿って庫口枠材が設けられており、かかる庫口枠材は断熱扉に密着されて庫内からの冷気の漏出を防止する。例えば、特許文献１には、低温貯蔵庫において、庫口用開口の内側端面に取り付ける庫口枠材に関する技術が公開されている。
特許文献１記載の庫口枠材は、庫口用開口の内側端面及び断熱パネルの庫外側面の一部を被覆するように、硬質発砲樹脂から断面Ｌ字状に形成されている。また、断熱扉には、庫口枠材と当接する断熱扉外周部にパッキンが配設されている。こうして、断熱扉に配設されたパッキンと庫口枠材が当接密着することにより、外気の流入や、冷却空気の漏出を防止するものである。
【０００３】
【特許文献１】実開昭６３−１１０８８４号公報
【０００４】
しかしながら、特許文献１記載の庫口枠材は、断熱扉のパッキンに密着して冷気の漏出を防止するものではあるが、係る庫口枠材では、庫口用開口と庫口枠材の間から冷気が漏出することを防止する点については何等の対策もなされていない。従って、庫口用開口の内側端面と庫口枠材との密着性が悪い場合には、両者の間から冷気が漏出してしまうという問題がある。
【発明の開示】
【発明が解決しようとする課題】
【０００５】
本発明は、上述した課題を鑑みてなされたものであり、貯蔵庫本体における庫口用開口の内側端面と庫口枠材との密着性を向上し、庫口用開口の内側端面と庫口枠材との間から冷気が漏出することを確実に防止可能な庫口枠材を提供することを目的とする。
【課題を解決するための手段】
【０００６】
前記目的を達成するため請求項１に係る庫口枠材は、断熱パネルを組み立ててなる貯蔵庫本体に形成された庫口用開口の内側端面に沿って配設される庫口枠材であって、合成樹脂から形成されるとともに庫口用開口の内側端面を被覆する第１被覆部及び断熱パネルの庫外側端面の一部を被覆する第２被覆部を有する断面Ｌ字状に形成された庫口枠材において、前記第１被覆部の庫内側端部には、前記庫口用開口の内側端面と第１被覆部との間をシールするパッキンを嵌合するパッキン嵌合溝が形成されていることを特徴とする。
【０００７】
また、請求項２に係る庫口枠材では、前記第１被覆部と第２被覆部とを連結する隅部に形成され、庫口枠材の成形時にヒケが発生することを防止するヒケ防止用溝と、前記ヒケ防止用溝の内部にて、前記パッキン嵌合溝の深さと等しい深さとなる位置に形成された相互に対向する一対の突起列とを備えたことを特徴とする。
【発明の効果】
【０００８】
前記請求項１記載の庫口枠材では、第１被覆部の庫内側端部にパッキン嵌合溝を設けたことにより、前記パッキン嵌合溝に庫口用開口の内側端面と第１被覆部との間をシールするパッキンを嵌合することができる。パッキン嵌合溝内に嵌合されたパッキンは、庫口用開口の内側端面と庫口枠材との密着性を向上することから、庫口用開口の内側端面と庫口枠材との間から冷気が漏出することを確実に防止することができる。
【０００９】
また、前記請求項２記載の庫口枠材は、合成樹脂から庫口枠材を成形する際にヒケを防止するには必要なヒケ防止溝内部の内部にて、前記パッキン嵌合溝の深さと等しい深さとなる位置に形成された相互に対向する一対の突起列を設けることにより、ヒケ防止用溝の内部にパッキンを配置することができる。ヒケ防止用溝の内部に配置されたパッキンは、パッキン嵌合溝に嵌合されたパッキンと同様、庫口用開口の内側端面と庫口枠材との密着性を向上することから、パッキン嵌合溝内のパッキンと協働して、庫口用開口の内側端面と庫口枠材との間から冷気が漏出することを更に確実に防止することができる。更に、一対の突起列が、パッキン嵌合溝の深さと等しい深さとなる位置に相互に対向して形成されるので、パッキン嵌合溝及びヒケ防止用溝に、同一のパッキンを使用することができる。この結果、部品の製造上、管理上の手間を省略することが可能となる。
【発明を実施するための最良の形態】
【００１０】
以下、本発明を具体化した庫口枠材１の一実施形態に関して、図面を参照しながら詳細に説明する。図１は、本発明に係る庫口枠材１を備える貯蔵庫２の外観斜視図である。
貯蔵庫２は、断熱パネル３からなる貯蔵庫部分４を設置し、この貯蔵庫部分４に不図示の貯蔵対象物を収容するものである。そして、不図示の室外機及び室内機からなる冷凍装置により、貯蔵対象物を冷蔵又は、冷凍保存するものである。
貯蔵庫２前面には、貯蔵庫２内部へ貯蔵対象物を搬出及び搬入するための開口部８を設ける。この開口部８には、後述する庫口枠材１と、貯蔵庫２内部を断熱空間とする断熱扉９を取り付け、庫口１０とする。また、開口部８庫内側には、ビニル製のシートを短冊状に切断し、それぞれの端部を重ね合わせて構成したビニールカーテン７が取り付けられている。ビニールカーテン７は、断熱扉９開放時において、貯蔵庫２外部へ冷却空気の放出量を緩和している。
【００１１】
次に、貯蔵庫２の構成部材について説明する。
断熱パネル３は、断熱材料によって形成されたパネル状部材である。断熱パネル３左右側面には、凹部１１又は凸部１２が形成されている（図２参照）。例えば、右側面に凹部１１が形成されている場合には、それと対抗する左側面には、凸部１２が形成されている。
凹部１１及び凸部１２は、ある断熱パネル３の凹部１１に別の断熱パネル３の凸部１２を嵌合していくことにより、本実施形態における貯蔵庫２のような単一の断熱パネル３よりも大きな断熱面を形成するものである。
不図示の冷凍装置は、室外機及び室内機により構成されたものである。これは、室外機、室内機の間を循環する冷媒の膨張、凝縮を利用して熱交換を行い、貯蔵庫２内部に冷却空気を送風するものである。
【００１２】
断熱扉９は、金属製のドア面材１３により外郭が形成され、その内部に断熱発泡剤１４が充填された構成である。
断熱扉前面には、開閉用把手１５が配設されている。この開閉用把手１５は、外方から断熱扉９を開閉する際に把持する部分であるとともに、断熱扉９が閉じた際には容易に開くことのないようにロックするロック機構を備えたものである。
そして、断熱扉９背面には、突出部１６が形成されている。この突出部１６の上下面及び左右側面は、断熱扉９を閉じた際に、庫口枠材１内側と当接するように形成されている。
そして、この突出部１６の上下左右側面周縁において、庫口枠材１と当接する位置には、軟質塩化ビニルにより筒状に形成した扉側パッキン１７を配設している。
扉側パッキン１７を庫口枠材１に当接する位置に配設することにより、断熱扉９閉状態において、冷却空気の貯蔵庫２内部からの漏出を防止することが可能となる。
さらに、突出部１６において、断熱扉９閉状態で貯蔵庫２内部に面する部分には、庫内側把手１８と、安全押棒１９とが配設されている。庫内側把手１８は、貯蔵庫２内部から出る際に把持する部分である。そして、安全押棒１９は、貯蔵庫２内部で作業中に誤って断熱扉９が閉じ、開閉用把手１５のロック機構の作動により、貯蔵庫２内部に閉じ込められた場合に使用するものである。この時、安全押棒１９を貯蔵庫２外部方向に押すことにより、貯蔵庫２内部からロック機構を解除し、断熱扉９を開くためのものである。
【００１３】
ここで、本発明に係る庫口枠材１について、図面を参照しながら詳細に説明する。図２は、断熱扉９を閉じた状態における庫口１０周辺の水平断面図である。
庫口枠材１は、硬質発泡樹脂にて形成されると共に、開口部８口縁となる断熱パネル３側面部から断熱パネル３庫外側を覆うように断面Ｌ字状に配設されるものである。庫口枠材１は、パッキン嵌合溝２０と、凹条２１と、ヒケ防止用溝２２と、幅広溝２３を有する構成である。
【００１４】
パッキン嵌合溝２０は、庫口枠材１庫内側端部に形成されたものである。パッキン嵌合溝２０には、庫内側パッキン２４を嵌合配設する。
庫内側パッキン２４は、庫口枠材１を庫口１０に取り付けた際に、断熱パネル３側面部に当接し、冷却空気の漏出を防止するものである。これにより、冷却装置７の無駄な冷却を無くすことができる。
凹条２１は、庫口枠材１側面部に断熱パネル３の凸部１２を嵌合可能に設けた溝状部分である。凹条２１に凸部１２を嵌合して、庫口枠材１を庫口１０に配設することにより、庫口１０の見栄えを良くすることができる。
ここで、開口部８において、凸部１２を要する面と対抗する面には、凹部１１が設けられている。庫口枠材１の凹条２１と、凹部１１の間には、断熱材により形成され、凹部１１と凹条２１との間を埋める断熱ブロック１１ａが配設される。断熱ブロック１１ａにより、凹部１１と凹条２１で形成される部分の断熱性が向上する。庫口枠材１は、庫口１０の凹部１１と庫口枠材１の凹条２１が嵌合することはないが、庫口１０の見栄えをよくするという点に関しては同様である。
【００１５】
ヒケ防止用溝２２は、庫口枠材１の庫外側折曲部に形成され、庫口枠材１を成型する上で必要となるものである。
庫口枠材１は、液体状の硬質発泡樹脂を型枠に流し込み、硬質発泡樹脂が固化した後、型枠を取り除き、成型するものである。庫口枠材１の冷却固化は、肉厚の薄い部分から固化していくため、肉厚の厚い部分の成型材料が薄い部分に引っ張られて厚い部分にヒケが発生してしまう。ヒケ防止用溝２２は、その影響を緩和するために設けられたものである。このため、一定の深さが無ければ、ヒケ防止用溝２２の反対側にヒケが発生してしまう。  つまり、ヒケ防止用溝２２は、成型する上で必要な部分であり、溝深さの変更のできない部分である。
ヒケ防止用溝２２内部には、パッキン嵌合溝２０の深さと同じ深さにおいて、対向する面に夫々、パッキン支持リブ２５を設ける。
庫外側パッキン２６は、ヒケ防止用溝２２に嵌合されるとともに、パッキン支持リブ２５にて当接支持されて配設されるとともに、庫内側パッキン２４と同一形状に形成されたものである。庫外側パッキン２６も、断熱パネル３と当接し、庫口枠材１と断熱パネル３の間からの冷却空気の漏出を防止するものである。
幅広溝２３は、庫口枠材１の庫外側内面に形成されたものである。断熱扉９開閉軸側の幅広溝２３には、断熱扉９開閉軸を取り付ける開閉軸取付部材２７を配設されている。そして、開閉用把手１５側の幅広溝２３には、開閉用把手１５のロック機構を係止するロック部材を取り付ける取付部材２８が配設されている。
【００１６】
ヒータユニット２９は、庫口枠材１の庫外側において、扉側パッキン１７が当接するように配設されている。ヒータユニット２９はリード線２９ａ、ヒータ線２９ｂ、ヒータプレート２９ｃから構成されている。リード線２９ａは、ヒータ線２９ｂと接続して、電気を供給する金属線材である。ヒータ線２９ｂは、リード線２９ａより供給された電気により、発熱する金属線材である。ヒータプレート２９ｃは、ヒータ線２９ｂと当接し、ヒータ線２９ｂより発生する熱を伝導する金属製の板材である。ヒータユニット２９は、低温貯蔵庫を使用した場合に、扉側パッキン１７周辺に発生する着霜を融解するためのものである。これにより、着想のよって発生する断熱扉９の開閉に関する不具合を防止する。
【００１７】
以上説明したように、本実施形態に係る庫口枠材１において、断熱パネル３に当接する庫内側端部にパッキン嵌合溝１９を設けたことにより、パッキン嵌合溝１９に庫内側パッキン２３を取り付けることができる。これにより、従来、断熱パネル３と庫口枠材１の間から貯蔵庫２外部へ漏出していた冷却空気を、庫内側パッキン２３により封止することができる。この結果、冷凍装置の冷却効率が上がり、貯蔵庫２内部の冷却を無駄なく行うことができる。
【００１８】
また、庫口枠材１には、庫口枠材１を成型する上では必要だが、実際に使用する際には、何等の機能を果たさないヒケ防止用溝２１が形成されている。しかし、ヒケ防止用溝２１内面に、パッキン嵌合溝１９の深さと等しい位置に一対のパッキン支持リブ２５を設けたことにより、庫内側パッキン２３と同一形状の庫外側パッキン２６をヒケ防止用溝２１に設けることができる。庫内側パッキン２３とともに、庫外側パッキン２６でも、貯蔵庫２内部からの冷却空気の漏出を防止するので、貯蔵庫２内部の冷却をさらに無駄なく行うことができる。
更に、庫内側パッキン２３、庫外側パッキン２６として、同一形状のパッキンを使用することができるので、庫口枠材１に取り付けるパッキンの種類は１種類となる。この結果、パッキンの部品管理、図面管理が容易になる。また、庫内側パッキン２３、庫外側パッキン２６のどちらかが劣化した場合には、代替部品としてパッキンを転用することができる。更に、部品管理が容易となったため、新たなパッキンを迅速にユーザに届けることが可能となる。
【００１９】
以上、本発明はこのような実施の形態に何等限定されるものではなく、本発明の要旨を逸脱しない範囲において種々なる態様で実施し得る。
【図面の簡単な説明】
【００２０】
【図１】本実施形態に係る庫口枠材を取り付けた貯蔵庫の外観斜視図である。
【図２】本実施形態に係る庫口枠材を取り付けた庫口周辺の水平断面図である。
【図３】本実施形態に係る庫口枠材のヒケ防止用溝周辺の拡大断面図である。
【符号の説明】
【００２１】
１                庫口枠材
２                貯蔵庫
３                断熱パネル
９                断熱扉
１１              凹部
１２              凸部
１３              ドア面材
１４              断熱発泡材
１５              開閉用把手
１６              突出部
１７              扉側パッキン
１８              庫内側把手
１９              安全押棒
２０              パッキン嵌合溝
２１              凹条
２２              ヒケ防止用溝
２３              幅広溝
２４              庫内側パッキン
２５              パッキン支持リブ
２６              庫外側パッキン
２７              開閉軸取付部材
２８              取付部材
２９              ヒータユニット
【図１】
2005180879.tif 000003
【図２】
2005180879.tif 000004
【図３】
2005180879.tif 000005